(57)【要約】【課題】２つのレーザダイオードからそれぞれ出射されるレーザ光の一部を、ダイクロイックビームスプリッタや立上げミラーを介することなく、単一のフロントモニタで検出することができるようにした二波長対応光ピックアップを提供する。【解決手段】レーザダイオードＬＤ１，ＬＤ２からそれぞれ出射されるレーザ光を３つの光束に分割するためのグレーティングＧＲＴ１，ＧＲＴ２に、フレネル部４２を形成する。フレネル部は、各レーザダイオードからのレーザ光のうち有効範囲外の光の一部を所定方向に屈折させる。各グレーティングのフレネル部で屈折させられた光は、単一のフロントモニタＦＭにて検出される。【選択図】      図３
2004227680.tif 000002
【特許請求の範囲】
【請求項１】
互いに異なる波長のレーザ光を互いに異なる方向に出射させる第１及び第２のレーザダイオードと、これら第１及び第２のレーザダイオードから出射されるレーザ光をそれぞれ透過し回折させる第１及び第２のグレーティングとを備えた二波長対応型の光ピックアップにおいて、
前記第１及び第２のグレーティングを透過したレーザ光の有効範囲外の光の一部をそれぞれ予め定められた方向ヘ向かって出射させる第１及び第２のフレネル素子を前記第１及び第２のグレーティングにそれぞれ設けるとともに、前記第１及び第２のフレネル素子から出射された光が互いに交差する位置にフロントモニタを設け、該フロントモニタの出力に基づいて前記第１及び第２のレーザダイオードの出力を制御できるようにしたことを特徴とする光ピックアップ。
【請求項２】
前記第１及び第２のレーザダイオードからの前記レーザ光の出射方向が平行かつ逆向きであることを特徴とする請求項１に記載の光ピックアップ。
【請求項３】
前記第１及び第２のグレーティングを透過したレーザ光の少なくとも有効範囲内の光を互いに隣接配置された第１及び第２のダイクロイックビームスプリッタにそれぞれ入射させ、これら第１及び第２のダイクロイックビームスプリッタで反射されたレーザ光の光路を互いに一致させるように構成されていることを特徴とする請求項１又は２に記載の光ピックアップ。
【請求項４】
前記第１及び第２のグレーティングが、同一面上に回折格子部とフレネル部とが形成された透明ガラス板又は透明樹脂板であることを特徴とする請求項１，２、または３に記載の光ピックアップ。
【発明の詳細な説明】
【０００１】
【発明の属する技術分野】
本発明は、光ピックアップに関し、特に、２種類の情報記録媒体に対して異なる波長の光を用いて情報の記録・再生を行う二波長対応光ピックアップ装置に関する。
【０００２】
【従来の技術】
一般に、光ディスク記録媒体に対して情報の記録・再生を行う光ピックアップ装置においては、レーザダイオードから出射される記録・再生光（有効範囲内の光）の強さを適切に制御するために、フォトダイオード（フロントモニタ）及びＡＰＣ（Ａｕｔｏ  Ｐｏｗｅｒ  Ｃｏｎｔｒｏｌ）回路を用いたフィードバック制御が行われている。
【０００３】
互いに異なる波長の記録・再生光を発する２個のレーザダイオードを備え、２種類の光ディスク記録媒体（例えば、ＤＶＤとＣＤ）に対して情報を記録・再生することができる光ピックアップ（以下、二波長対応光ピックアップ。）の場合は、各レーザダイオードについてそれぞれ上記のようなフィードバック制御を行う必要がある。
【０００４】
従来の二波長対応光ピックアップは、２個のレーザダイオードからそれぞれ出射される記録・再生光をそれぞれ検出するために、２個のフォトダイオード（フロントモニタ）を備えている。そして、各レーザダイオードから出射される記録・再生光の一部をビームスプリッタ等を用いて分岐させ、対応するフォトダイオードに入射させるようにしている。
【０００５】
また、装置全体の構成を簡素化するため、２個のレーザダイオードからそれぞれ出射される記録・再生光の一部を１個のフォトダイオードで検出するように構成した二波長対応光ピックアップも既に提案されている。この提案に係る二波長対応光ピックアップは、２つのレーザダイオードからそれぞれ出射される記録・再生光を光路合流ミラーを用いて単一の立ち上げミラーに入射させるよう構成されている。そして、この光路合流ミラーに入射する記録・再生光の一部を、立ち上げミラーの存在する方向とは異なる方向へ透過又は反射させ、単一のフォトダイオードに入射させるようにしている（例えば、特許文献１又は２参照。）。
【０００６】
図１に、単一のフォトダイオードをフロントモニタとして備えた従来の二波長対応光ピックアップの一例を示す。
【０００７】
図示の光ピックアップは、第１の波長の第１のレーザ光を出射させる第１のレーザダイオードＬＤ１と、第１の波長とは異なる第２の波長の第２のレーザ光を出射させる第２のレーザダイオードＬＤ２と、光学レンズＬと、第１及び第２のグレーティングＧＲＴ１，ＧＲＴ２と、第１及び第２のダイクロイックビームスプリッタＤＢＳ１，ＤＢＳ２と、１／４波長板ＱＷＰと、立上げミラーＭＩＲと、コリメータレンズＣＬと、アパーチャＡＰと、対物レンズＯＬと、センサレンズＳＬと、受光素子ＰＤと、フロントモニタＦＭとを有している。
【０００８】
この光ピックアップでは、第１のレーザダイオードＬＤ１から出射した第１のレーザ光は、第１のグレーティングＧＲＴ１を介して第１のダイクロイックビームスプリッタＤＢＳ１に入射する。また、第２のレーザダイオードＬＤ２から出射したレーザ光は、レンズＬ及び第２のグレーティングＧＲＴ２を介して第２のダイクロイックビームスプリッタＤＢＳ２に入射する。ダイクロイックビームスプリッタＤＢＳ１及びＤＢＳ２にそれぞれ入射したレーザ光は、図の右方向へ向かって反射され、１／４波長板ＱＷＰ、立上げミラーＭＩＲ、コリメータレンズＣＬ、アパーチャＡＰ及び対物レンズＯＬを介して光ディスク記録媒体ＤＩＳＣ上に照射される。これにより、光ディスクＤＩＳＣに対する記録が実行される。
【０００９】
光ディスクＤＩＳＣからの情報を読み出す場合は、上記と同様にして光ディスクＤＩＳＣにレーザ光を照射すると、その光ディスクＤＩＳＣからの反射光が、対物レンズＯＬ、アパーチャＡＰ、コリメータレンズＣＬ、立上げミラーＭＩＲ、１／４波長板ＱＷＰ、第１及び第２のダイクロイックビームスプリッタＤＢＳ１及びＤＢＳ２、及びセンサレンズＳＬを介して、受光素子ＰＤに入射する。
【００１０】
この光ピックアップ装置では、立上げミラーＭＩＲが、ダイクロイックビームスプリッタＤＢＳ１側から入射するレーザ光の一部を透過するよう構成されている。そして、立上げミラーＭＩＲの裏面側には、透過したレーザ光を受光するフロントモニタＦＭが配置されている。このような構成によれば、単一のフロントモニタＦＭを用いて、２つのレーザダイオードＬＤ１及びＬＤ２からそれぞれ出射されたレーザ光の一部を共に検出することができ、両方のレーザダイオードＬＤ１及びＬＤ２の出力制御を行うことができる。
【００１１】
なお、フロントモニタＦＭは、図２に示すように、第１のダイクロイックビームスプリッタＤＢＳ１の後方（第１のレーザダイオードとは反対側の位置）に配置するようにしてもよい。この場合、第１のダイクロイックビームスプリッタＤＢＳ１の反射・透過特性は、図１のものとは異なり、第１のレーザダイオードＬＤ１からのレーザ光の一部を透過し、第２のレーザダイオードＬＤ２からのレーザ光の一部を反射するようにする必要がある。また、立上げミラーＭＩＲについては、全反射ミラーとすることができる。
【００１２】
ところで、レーザダイオードからの記録・再生光の一部をビームスプリッタや光路合流ミラー、あるいは立上げミラー等を用いてフロントモニタに入射させるようにすると、本来記録・再生に使用されるべきレーザ光の利用効率が低下するという問題点を生じる。
【００１３】
レーザダイオードを１個しか持たない単一波長型光ピックアップ装置の場合は、レーザダイオードから出射される光のうち、記録・再生に関与しない光（有効範囲外の光）を凸レンズやホログラムパターン等を用いて光路変更して、フロントモニタに入射させることにより、この問題を解決するすることができる（例えば、特許文献３参照。）。
【００１４】
また、ビームスプリッタの反射膜には、その反射率が製造バラツキを有し、かつ湿度変化に伴って変動するという問題点もある。
【００１５】
単一波長型光ピックアップ装置の場合、前述のように、有効範囲外の光を利用することによりこの問題も解決できる。また、ビームスプリッタの反射膜の反射率に関係なく記録・再生光の強さを検出できるように、レーザダイオードからの記録・再生光を、プリズムの無反射コーディングが施されていない面に所定の入射角で入射させてその一部を反射させ、フォトダイオードに入射させるようにすることで、この問題を解決することもできる（例えば、特許文献４参照。）。
【００１６】
従来の二波長対応光ピックアップにおいても、２個のレーザダイオードにそれぞれ対応するフォトダイオードを備えていれば、上記技術を適用することによって、ビームスプリッタ等を用いて記録・再生光の一部をフロントモニタに入射させたことによって生じる上記の問題を解決することが可能である。
【００１７】
【特許文献１】
特開２００２−１０００５９号公報
【００１８】
【特許文献２】
特開２００２−１０００６８号公報
【００１９】
【特許文献３】
特開平１１−２７３１１９号公報
【００２０】
【特許文献４】
特開２０００−２１００１号公報
【００２１】
【発明が解決しようとする課題】
上述したように、レーザダイオードから出射される記録・再生光の一部を、ビームスプリッタ等を用いてフロントモニタに導くようにすると、記録・再生光の利用効率が低下するという問題点がある。また、ダイクロイックビームスプリッタや立上げミラーの反射膜（透過率及び／又は反射率）には波長依存性があるため、周囲の環境変化等によりレーザ光の波長が変化すると、フロントモニタに入射するレーザ光の光量が変化（検出精度が変化）するという問題点もある。
【００２２】
これらの問題点は、上述の特許文献１に記載された技術により解決可能であるが、それをそのまま二波長対応光ピックアップに適用したのでは、各レーザダイオードに対応するフォトダイオードが必要となるり、小型化の要求に応えられなくなる。つまり、単一のフロントモニタを備える二波長対応光ピックアップに関しては、小型化が優先され、未だ、上記のような問題点を解決するための提案は成されていない。
【００２３】
そこで、本発明は、２つのレーザダイオードから出射されるレーザ光の一部を、ダイクロイックビームスプリッタや立上げミラーを介することなく、単一のフロントモニタで検出することができるようにした二波長対応光ピックアップを提供することを目的とする。
【００２４】
【課題を解決するための手段】
本発明によれば、互いに異なる波長のレーザ光を互いに異なる方向に出射させる第１及び第２のレーザダイオード（ＬＤ１，ＬＤ２）と、これら第１及び第２のレーザダイオード（ＬＤ１，ＬＤ２）から出射されるレーザ光をそれぞれ透過し回折させる第１及び第２のグレーティング（ＧＲＴ１，ＧＲＴ２）とを備えた二波長対応型の光ピックアップにおいて、前記第１及び第２のグレーティング（ＧＲＴ１，ＧＲＴ２）を透過したレーザ光の有効範囲外の光の一部をそれぞれ予め定められた方向ヘ向かって出射させる第１及び第２のフレネル素子（４２）を前記第１及び第２のグレーティング（ＧＲＴ１，ＧＲＴ２）にそれぞれ設けるとともに、前記第１及び第２のフレネル素子（４２）から出射された光が互いに交差する位置にフロントモニタ（ＦＭ）を設け、該フロントモニタの出力に基づいて前記第１及び第２のレーザダイオードの出力を制御できるようにしたことを特徴とする光ピックアップが得られる。
【００２５】
なお、上記括弧内の符号は、本発明の理解を容易にするためのものであって、何ら本発明を限定するものではない。
【００２６】
【発明の実施の形態】
以下、図面を参照して本発明の実施の形態について詳細に説明する。
【００２７】
図３に本発明の一実施の形態に係る光ピックアップの光学系の構成を示す。図３の光ピックアップは、第１の波長の第１のレーザ光を出射させる第１のレーザダイオードＬＤ１と、第１の波長とは異なる第２の波長の第２のレーザ光を出射させる第２のレーザダイオードＬＤ２と、光学レンズＬと、第１及び第２のグレーティングＧＲＴ１，ＧＲＴ２と、第１及び第２のダイクロイックビームスプリッタＤＢＳ１，ＤＢＳ２と、１／４波長板ＱＷＰと、立上げミラーＭＩＲと、コリメータレンズＣＬと、アパーチャＡＰと、対物レンズＯＬと、センサレンズＳＬと、受光素子ＰＤと、フロントモニタＦＭとを有している。
【００２８】
次に、この光ピックアップの各光学要素の配置について説明する。
【００２９】
第１のレーザダイオードＬＤ１と第２のレーザダイオードＬＤ２は、それぞれが出射するレーザ光の光軸ＯＡ１，ＯＡ２が、所定の距離を置いて互いに平行となるよう、互いに逆向きに、かつ図の上下方向に離れて配置されている。
【００３０】
第１のグレーティングＧＲＴ１及び第１のダイクロイックビームスプリッタＤＢＳ１は、光軸ＯＡ１上に、この順序で配置されている。また、光学レンズＬ、第２のグレーティングＧＲＴ２及び第２のダイクロイックビームスプリッタＤＢＳ２は、光軸ＯＡ２上にこの順序で配置されている。
【００３１】
第１のダイクロイックビームスプリッタＤＢＳ１と第２のダイクロイックビームスプリッタＤＢＳ２とは、各々の反射膜が光軸ＯＡ１，ＯＡ２に対してそれぞれ４５度の角度を成し、そこで反射された第１及び第２のレーザ光の光軸が互いに一致して主光軸ＯＡ３を形成するように、隣接配置されている。
【００３２】
主光軸ＯＡ３上には、第１及び第２のダイクロイックビームスプリッタＤＳＢ１，ＤＳＢ２の右側に、１／４波長板ＱＷＰ及び立上げミラーＭＩＲが、この順序で配置されている。また、主光軸ＯＡ３上には、第１及び第２のダイクロイックビームスプリッタＤＳＢ１，ＤＳＢ２の左側に、センサレンズＳＬ及び受光素子ＰＤが、この順序で配置されている。
【００３３】
立上げミラーＭＩＲは、その反射面が、主光軸ＯＡ３に対して４５度の角度を成すように配置されている。立上げミラーＭＩＲで反射された第１及び第２のレーザ光の光軸ＯＡ４上には、コリメータレンズＣＬ、アパーチャＡＰ及び対物レンズＯＬが、この順序で配置されている。
【００３４】
フロントモニタＦＭは、第１のグレーティングで屈折させられた第１のレーザ光の一部と、第２のグレーティングで屈折させられた第２のレーザ光の一部を共に受光できる位置（２つのレーザ光が交差する位置）に配置されている。
【００３５】
次に、各光学要素の作用（働き）について説明する。
【００３６】
第１のレーザダイオードＬＤ１は、第１の波長としてＤＶＤ用の波長約６５０ｎｍを持つ第１のレーザ光を出射する。他方、第２のレーザダイオードＬＤ２は、第２の波長としてＣＤ用の波長約７８０ｎｍを持つ第２のレーザ光を出射する。
【００３７】
第１のグレーティングＧＲＴ１は、第１のレーザダイオードＬＤ１から出射された第１のレーザ光のうち中央部の光（記録・再生及びその際のトラッキング制御に用いられるレーザ光、以下有効範囲内の光）を３本のレーザ光（中央の光束とその両側の２本の光束）に分割する。分割された３本のレーザ光のうち中央の光束は、光ディスクＤＩＳＣに対するフォーカス制御に用いられ、残りの２本（両側）の光束は、その際のトラッキング制御に用いられる。
【００３８】
第１のグレーティングＧＲＴ１は、また、第１のレーザ光のうちの周辺部の光（記録・再生及びその際のトラッキング制御のいずれにも用いられないレーザ光、以下有効範囲外の光）の一部の進行方向を変え、フロントモニタＦＭに入射させる。
【００３９】
第１のグレーティングＧＲＴ１は、例えば、略直方体の透明ガラス又は透明樹脂（即ち、透明ガラス板又は透明樹脂板）からなり、図４（ａ）及び（ｂ）に示すように、その一面（出射面）上に、回折格子４１及びフレネル部（フレネル素子）４２が形成されている。回折格子４１は、上述したように、有効範囲内の光を３本の光束に分割し、フレネル部４２は、有効範囲外の光の一部を屈折させる。これらの回折格子４１及びフレネル部４２は、第１のグレーティングがガラス性の場合は、別々のエッチング工程により形成され、樹脂製の場合は、成形金型に対応する形状を形成しておくことにより、成形時に同時形成される。
【００４０】
第２のグレーティングＧＲＴ２は、第１のグレーティングＧＲＴ１と同様である。光学レンズＬは、この第２のグレーティングＧＲＴ２に入射する第２のレーザダイオードから出射されたレーザ光の広がり角を調節する。
【００４１】
第１のダイクロイックビームスプリッタＤＢＳ１は、第１のグレーティングＧＲＴ１側から光軸ＯＡ１に沿って入射する第１のレーザ光（３本の光束）を全反射し、その進路方向を主光軸ＯＡ３に沿ったものに変え、１／４波長板ＱＷＰに入射させる。また、１／４波長板ＱＷＰ側から主光軸ＯＡ３に沿って入射する戻り光（光ディスクＤＩＳＣからの反射光）を透過させ、第２のダイクロイックビームスプリッタＤＢＳ２側へ出射する。さらに、この第１のダイクロイックビームスプリッタＤＢＳ１は、第２のダイクロイックビームスプリッタＤＢＳ２側から主光軸ＯＡ３に沿って入射する第２のレーザ光を透過させ、１／４波長板ＱＷＰに入射させる。
【００４２】
第２のダイクロイックビームスプリッタＤＢＳ２は、第２のグレーティングＧＲＴ２側から光軸ＯＡ２に沿って入射する第２のレーザ光（３本の光束）を全反射し、その進路方向を主光軸ＯＡ３に沿ったものに変え、第１のダイクロイックビームスプリッタＤＢＳ１に入射させる。また、第１のダイクロイックビームスプリッタＤＢＳ１側から主光軸ＯＡ３に沿って入射する戻り光を透過させ、センサレンズＳＬに入射させる。
【００４３】
１／４波長板ＱＷＰは、入射するレーザ光の偏光状態を変える（直線偏光の偏光方向を回転させる）。この１／４波長板ＱＷＰの働きにより、例えば、第１のダイクロイックビームスプリッタＤＢＳ１からこの１／４波長板ＱＷＰに入射するレーザ光がＰ偏光である場合に、光ディスクＤＩＳＣで反射された戻り光がＳ偏光となってダイクロイックビームスプリッタＤＢＳ１に入射し、そこ透過することができるようになる。
【００４４】
立上げミラーＭＩＲは、１／４波長板ＱＷＰ側から入射するレーザ光をコリメータレンズＣＬ側へ反射し、コリメータレンズＣＬ側から入射する戻り光を１／４波長板ＱＷＰ側へ反射する全反射ミラーである。
【００４５】
コリメータレンズＣＬは、立上げミラーＭＩＲで反射されたレーザ光を平行光に変換する。また、光ディスクＤＩＳＣで反射された戻り光を収束光に変換する。
【００４６】
アパーチャＡＰは、コリメータレンズＣＬからの平行光の一部を阻止し、残りを通過させることにより、対物レンズに入射するレーザ光の光量を調節する。
【００４７】
対物レンズＯＬは、アパーチャＡＰを通過したコリメータレンズＣＬからの平行光を光ディスクＤＩＳＣ上に集光照射する。
【００４８】
センサレンズＳＬは、光ディスクＤＩＳＣで反射され、対物レンズＯＬ、アパーチャＡＰ、コリメータレンズＣＬ、立上げミラーＭＩＲ、１／４波長板ＱＷＰ、及び第１及び第２のダイクロイックビームスプリッタＤＢＳ１，ＤＢＳ２を介して入射する戻り光を拡大又は収束させて、受光素子ＰＤに入射させる。
【００４９】
受光素子ＰＤは、センサレンズＳＬで拡大又は収束された戻り光を受光する。
【００５０】
フロントモニタＦＭは、第１のグレーティングのフレネル部で屈折させられた第１のレーザ光のうちの有効範囲外の光の一部と、第２のグレーティングのフレネル部で屈折させられた第２のレーザ光のうちの有効範囲外の光の一部とを共に受光する。フロントモニタＦＭの検出出力は、図示しないＡＰＣ回路に供給され、第１及び第２のレーザダイオードＬＤ１，ＬＤ２の出力制御に利用される。
【００５１】
次に、図３の光ピックアップの動作について説明する。
【００５２】
光ディスクＤＩＳＣがＤＶＤの場合、第１のレーザダイオードＬＤ１が、第１のレーザ光を出射する。
【００５３】
第１のレーザダイオードＬＤ１から出射された第１のレーザ光は、第１のグレーティングＧＲＴ１に入射し、その中央部は、回折格子４１で３本の光束に分割され、周辺部の一部は、フレネル部４２によりフロントモニタＦＭに向かって出射される。
【００５４】
回折格子４１で分割された３本の光束は、第１のダイクロイックビームスプリッタＤＢＳ１で全反射され、１／４波長板ＱＷＰ、立上げミラーＭＩＲ、コリメータレンズＣＬ、アパーチャＡＰ、及び対物レンズＯＬを介して光ディスクＤＩＳＣに照射される。
【００５５】
記録モードの場合は、以上のように動作し、再生モードの場合は、更に以下のように動作する。
【００５６】
即ち、光ディスクＤＩＳＣで反射された戻り光は、対物レンズＯＬ、コリメータレンズＣＬ、立上げミラーＭＩＲ、１／４波長板ＱＷＰ、第１及び第２のダイクロイックビームスプリッタＤＢＳ１，ＤＢＳ２、及びセンサレンズＳＬを介して受光素子ＰＤによって受光される。
【００５７】
以上の動作の間、フロントモニタＦＭは、第１のグレーティングからのレーザ光の光量に応じた検出信号を図示しないＡＰＣ回路に出力し続ける。ＡＰＣ回路は、フロントモニタＦＭからの検出信号に応じて、第１のレーザダイオードＬＤ１の駆動電圧を制御し、記録モード又再生モードに適した出力パワーとなるようにする。
【００５８】
光ディスクＤＩＳＣがＣＤである場合、第２のレーザダイオードＬＤ２が第２のレーザ光を出射する。
【００５９】
第２のレーザダイオードＬＤ２から出射された第２のレーザ光は、光学レンズＬにて広がり角の調整を受けた後、第２のグレーティングＧＲＴ２に入射する。第２のグレーティングは、第１のグレーティングと同様に、入射するレーザ光の中央部を、回折格子４１により３本の光束に分割し、周辺部の一部を、フレネル部４２によりフロントモニタＦＭに向かって出射する。
【００６０】
回折格子４１で分割された３本の光束は、第２のダイクロイックビームスプリッタＤＢＳ２で全反射され、第１のダイクロイックビームスプリッタＤＢＳ１、１／４波長板ＱＷＰ、立上げミラーＭＩＲ、コリメータレンズＣＬ、アパーチャＡＰ、及び対物レンズＯＬを介して光ディスクＤＩＳＣに照射される。
【００６１】
光ディスクＤＩＳＣで反射された戻り光は、対物レンズＯＬ、コリメータレンズＣＬ、立上げミラーＭＩＲ、１／４波長板ＱＷＰ、第１及び第２のダイクロイックビームスプリッタＤＢＳ１，ＤＢＳ２、及びセンサレンズＳＬを介して受光素子ＰＤによって受光される。
【００６２】
以上の動作の間、フロントモニタＦＭは、第２のグレーティングからのレーザ光の光量に応じた検出信号をＡＰＣ回路に出力し続ける。ＡＰＣ回路は、フロントモニタＦＭからの検出信号に応じて、第２のレーザダイオードＬＤ２の駆動電流を制御し、記録モード又再生モードに適した出力パワーとなるようにする。
【００６３】
以上のように、本実施の形態による光ピックアップでは、第１及び第２のレーザダイオードＬＤ１，ＬＤ２にそれぞれ対応して設けられている第１及び第２のグレーティングＧＲＴ１，ＧＲＴ２に、フレネル部４２を設けることにより、各レーザダイオードＬＤ１，ＬＤ２から出射されるレーザ光のうち、記録・再生に関与しない有効範囲外の光の一部を単一のフロントモニタＦＭで検出することができる。しかも、フロントモニタＦＭに入射する光は、ダイクロイックビームスプリッタＤＢＳ１，ＤＢＳ２や立上げミラーＭＩＲの反射膜を透過、又は反射膜で反射されたものではない。
【００６４】
【発明の効果】
本発明によれば、２つのレーザダイオードにそれぞれ対応するグレーティングに各々フレネル素子を設け、各レーザダイオードからのレーザ光のうち有効範囲外の光を所定方向へ向かわせるようにしたことで、部品点数を増加させることなく、また、各レーザダイオードからのレーザ光のうち有効範囲内の光の利用効率を低下させることなく、単一のフロントモニタを用いて、各レーザダイオードの出力制御を行うことができる。
【００６５】
また、本発明によれば、各レーザダイオードから出射したレーザ光を、ダイクロイックビームスプリッタや立上げミラーを介することなくフロントモニタに入射させるようにしたことで、周囲環境の変化による影響を受け難く、精度よくレーザ光の光量を検出することができる。
【図面の簡単な説明】
【図１】従来の単一のフロントモニタを備えた二波長対応光ピックアップの光学系を示す図である。
【図２】従来の他の単一のフロントモニタを備えた二波長対応光ピックアップの光学系を示す図である。
【図３】本発明の一実施形態に係る二波長対応光ピックアップの光学系の構成を示す図である。
【図４】図３の光ピックアップに用いられるグレーティングの（ａ）正面図及び（ｂ）側面図である。
【符号の説明】
ＬＤ１      第１のレーザダイオード
ＬＤ２      第２のレーザダイオード
Ｌ          光学レンズ
ＧＲＴ１    第１のグレーティング
ＧＲＴ２    第２のグレーティング
ＤＢＳ１    第１のダイクロイックビームスプリッタ
ＤＢＳ２    第２のダイクロイックビームスプリッタ
ＱＷＰ      １／４波長板
ＭＩＲ      立上げミラー
ＣＬ        コリメータレンズ
ＡＰ        アパーチャ
ＯＬ        対物レンズ
ＤＩＳＣ    光ディスク
ＳＬ        センサレンズ
ＰＤ        受光素子
ＦＭ        フロントモニタ
【図１】
2004227680.tif 000003
【図２】
2004227680.tif 000004
【図３】
2004227680.tif 000005
【図４】
2004227680.tif 000006